(57)【要約】【課題】ポイント会員に対してサービスの花粉ポイントを付与することが可能となる。【解決手段】花粉飛散情報に対して花粉ポイント付与の有無および花粉ポイント倍率を設定する花粉飛散情報設定テーブルと、時計部により計時された時刻が所定時刻になると、当該店舗の近隣地域の観測地点における前記花粉飛散情報を受信すると、受信された前記花粉飛散情報に含まれる花粉飛散数の有無を判定する。この結果に基づいて前記花粉飛散数が有の場合には、花粉飛散情報設定テーブルの花粉ポイント付与を有と設定し、前記花粉飛散数が無の場合には、前記花粉ポイント付与を無と設定する。【選択図】      図６
2016076082.tif 000002
【特許請求の範囲】
【請求項１】
花粉飛散情報がネットワークを介して受信可能なサーバ装置において、
現時刻を計時する時計部と、
前記花粉飛散情報に対して花粉ポイント付与の有無および花粉ポイント倍率を設定する花粉飛散情報設定手段と、
前記時計部により計時された時刻が所定時刻になると前記ネットワークを介して配信された店舗の近隣地域の観測地点における前記花粉飛散情報を受信する受信手段と、
この受信手段により受信された前記花粉飛散情報を記憶する記憶手段と、
この記憶手段に記憶された前記花粉飛散情報に含まれる花粉飛散数の有無を判定する判定手段と、
この判定手段により前記花粉飛散数が有の場合には、前記花粉飛散情報設定手段の前記花粉ポイントの付与を有と設定するとともに、前記判定手段により前記花粉飛散数が無の場合には、前記花粉飛散情報設定手段の前記花粉ポイントの付与を無と設定する花粉ポイント付与設定手段と、
を備えたことを特徴とするサーバ装置。
【請求項２】
顧客毎に顧客識別情報に対応して少なくとも累計ポイントを記憶する顧客情報記憶手段と、
前記顧客識別情報が記録されたポイントカードに対して情報の読み書きを実行するリーダ・ライタと、
花粉飛散情報に対応して花粉ポイント付与の有無および花粉ポイント倍率を設定する花粉飛散情報設定手段と、
前記リーダ・ライタによって読み取られた前記ポイントカードに記録された前記顧客識別情報に基づいて前記顧客情報記憶手段から当該顧客識別情報に対応する前記累計ポイントを取得する顧客情報取得手段と、
前記顧客識別情報が読み取られた当該顧客との１商取引で販売された商品販売データに基づいてポイントを算出するポイント算出手段と、
前記花粉飛散情報設定手段により設定された前記花粉ポイント付与の有無を判定する判定手段と、
この判定手段により前記花粉ポイント付与が有の場合には、前記ポイント算出手段により算出された前記ポイントと前記花粉飛散情報設定手段に設定されている花粉ポイント倍率とを乗じて今回ポイントを算出する今回ポイント算出手段と、
この今回ポイント算出手段により算出された今回ポイントを前記顧客情報記憶手段の前記リーダ・ライタにより読み取った当該顧客識別情報に対応する累計ポイントに加算する累計ポイント算出手段と、
を備えたことを特徴とする商品販売データ処理装置。
【請求項３】
１商取引で販売された商品販売データが印字されたレシートを発行するレシート発行手段を備えた商品販売データ処理装置において、
顧客毎に顧客識別情報に対応して少なくとも累計ポイントを記憶する顧客情報記憶手段と、
前記顧客識別情報が記録されたポイントカードに対して情報の読み書きを実行するリーダ・ライタと、
花粉飛散情報に対応して花粉ポイント付与の有無および花粉ポイント倍率を設定する花粉飛散情報設定手段と、
前記リーダ・ライタによって読み取られた前記ポイントカードに記録された前記顧客識別情報に基づいて前記顧客情報記憶手段から当該顧客識別情報に対応する前記累計ポイントを取得する顧客情報取得手段と、
前記顧客識別情報が読み取られた当該顧客との１商取引で販売された商品販売データに基づいてポイントを算出するポイント算出手段と、
前記花粉飛散情報設定手段により設定記憶された前記花粉ポイント付与の有無を判定する判定手段と、
この判定手段により前記花粉ポイント付与が有の場合には、前記ポイント算出手段により算出された前記ポイントと前記花粉飛散情報設定手段に設定されている花粉ポイント倍率とを乗じて今回ポイントを算出する今回ポイント算出手段と、
この今回ポイント算出手段により算出された今回ポイントを前記顧客情報記憶手段の前記リーダ・ライタにより読み取った当該顧客識別情報に対応する累計ポイントに加算する累計ポイント算出手段と、
前記花粉ポイント付与が有りとされた場合には、花粉ポイント倍率をレシート上で明示させるポイント印字制御手段と、
を備えたことを特徴とする商品販売データ処理装置。
【発明の詳細な説明】
【技術分野】
【０００１】
本発明の実施形態は、サーバ装置および商品販売データ処理装置に関する。
【背景技術】
【０００２】
従来、スーパーマーケット等の小売店では、集客率の増加を狙ってポイント会員になった顧客に販売金額に応じたポイントを付与するサービスがある。
【０００３】
また、降雪や暴雨などの天候が良くない日には、顧客の来店が少なくなる傾向があるため、ポイントを割り増すことで、顧客に来店を促すことも行われている。
【０００４】
近年、花粉症が大きい問題となっており、花粉が飛散するシーズンにおいて来店数が減少する。そこで、花粉飛散シーズンにおいても来客数の減少を抑制できるサービスが要望されている。
【先行技術文献】
【特許文献】
【０００５】
【特許文献１】特開２００８−１３４７４０号公報
【発明の概要】
【発明が解決しようとする課題】
【０００６】
本発明が解決しようとする課題は、花粉飛散シーズンにおいても来客数の減少を抑制できるサーバ装置および商品販売データ処理装置を提供しようとするものである。
【課題を解決するための手段】
【０００７】
一実施形態におけるサーバ装置は、花粉飛散情報がネットワークを介して受信可能で、現時刻を計時する時計部と、前記花粉飛散情報に対して花粉ポイント付与の有無および花粉ポイント倍率を設定する花粉飛散情報設定手段と、前記時計部により計時された時刻が所定時刻になると前記ネットワークを介して配信された店舗の近隣地域の観測地点における前記花粉飛散情報を受信する受信手段と、この受信手段により受信された前記花粉飛散情報を記憶する記憶手段と、この記憶手段に記憶された前記花粉飛散情報に含まれる花粉飛散数の有無を判定する判定手段と、この判定手段により前記花粉飛散数が有の場合には前記花粉飛散情報設定手段の前記花粉ポイント付与を有と設定するとともに、前記判定手段により前記花粉飛散数が無の場合には前記花粉飛散情報設定手段の前記花粉ポイント付与を無と設定する花粉付与設定手段と、を備えたことを特徴とする。
【図面の簡単な説明】
【０００８】
【図１】一実施形態におけるＰＯＳシステムを含む全体構成図。
【図２】同実施形態におけるＰＯＳ端末の要部構成を示すブロック図。
【図３】同実施形態におけるストアサーバの要部構成を示すブロック図。
【図４】同実施形態におけるストアサーバの補助記憶部に形成する花粉飛散情報設定テーブルのデータ構造の一例を示す模式図。
【図５】同実施形態におけるストアサーバの補助記憶部に形成する顧客情報テーブルのデータ構造の一例を示す模式図。
【図６】同実施形態におけるストアサーバのＣＰＵが実行する花粉飛散情報の更新処理の主要なステップを示すフローチャート。
【図７】同実施形態におけるＰＯＳ端末のＣＰＵが実行する商品販売データ処理の前半部の主要なステップを示すフローチャート。
【図８】同実施形態におけるＰＯＳ端末のＣＰＵが実行する商品販売データ処理の後半部の主要なステップを示すフローチャート。
【図９】同実施形態におけるＰＯＳ端末から印字発行されるレシートの一例を示す図。
【発明を実施するための形態】
【０００９】
以下、一実施形態について図面を用いて説明する。
【００１０】
なお、この実施形態は、広域ネットワーク網としてインターネットに接続可能なＰＯＳシステムのストアサーバとＰＯＳ端末に適用した場合である。
【００１１】
図１は、ＰＯＳシステム１０を含む実施形態の全体構成図である。
【００１２】
図１に示すように、店舗Ａに設置されているＰＯＳシステム１０は、商品販売データ処理装置としてのＰＯＳ端末１１とサーバ装置としてのストアサーバ１２とルータ１３とから構成されている。ＰＯＳ端末１１とストアサーバ１２とルータ１３とはＬＡＮ（Local Area Network）等の通信ネットワーク１４によって接続されている。
【００１３】
前記ストアサーバ１２は、Ｗｅｂブラウザのソフトウエアがインストールされたインターネット対応端末として機能する。
【００１４】
ルータ１３は、通信ネットワーク１４と広域ネットワーク網であるインターネット１５とを接続するための機器である。
【００１５】
インターネット１５には、Ｗｅｂサーバとして機能する花粉観測システム１６が接続される。
【００１６】
この花粉観測システム１６には、たとえば、全国の花粉飛散情報を観測する各観測地点の花粉飛散数などの花粉飛散情報が格納された花粉飛散データベース（ＤＢ）１７が備えられている。すなわち、ストアサーバ１２からルータ１３および通信ネットワーク１４を介して前記花粉観測システム１６の花粉飛散データベース１７にアクセスし、この花粉飛散データベース１７に格納されている当該店舗Ａに近接地域の観測地点の花粉飛散数などを受信することを可能とする。
【００１７】
前記花粉飛散データベース１７に格納されている花粉飛散情報は、一定時間ごと自動的に更新される。そして、花粉飛散データベース１７によって各観測地点の最新の花粉飛散情報が公開されており、インターネット１５に接続されるコンピュータ機器を用いることで、誰もが花粉飛散情報等を閲覧することができる。
【００１８】
また、前記花粉観測システム１６は、所定の利用契約をした利用者のＩＰアドレスに対し、所定の時刻になると特定の地域における観測地点の花粉飛散情報等を配信することができる。
【００１９】
前記各ＰＯＳ端末１１には、ポイント会員として契約した顧客に対して発行されたポイントカード１００に記録されているカードデータを読み書きするリーダ・ライタ（図２参照）４３がそれぞれ備えられている。
【００２０】
前記ポイントカード１００には、少なくともポイント会員の顧客を特定するための顧客識別情報である顧客コードが記録されている。また、氏名、累計ポイントおよび更新年月日等の顧客情報である顧客コードが記録されていてもよい。
【００２１】
また、氏名、累計ポイントおよび更新年月日等の顧客情報が記録されていてもよい。顧客コードは、当該ポイントカード１００を所有するポイント会員の顧客識別情報を顧客毎に割り当てられた固有のコードである。
【００２２】
以下、本実施形態のＰＯＳシステム１０の各部の構成について詳細に説明する。
【００２３】
図２は、各ＰＯＳ端末１１の要部構成の一例を示すブロック図である。各ＰＯＳ端末１１は同一構成である。
【００２４】
図２に示すように、各ＰＯＳ端末１１は、主制御部としてのＣＰＵ（Central Processing Unit）２１と、このＣＰＵ２１が実行する制御プログラムなどの固定的データを予め格納したＲＯＭ（Read Only Memory）２２と、各種データを一時的に格納するためのワークエリア等が形成されるＲＡＭ（Random Access Memory）２３を搭載する。
【００２５】
前記ＣＰＵ２１、ＲＯＭ２２、ＲＡＭ２３、補助記憶部２４、時計部２５、通信インタフェース（Ｉ／Ｆ）２６、Ｉ／Ｏポート（Input／Output）２７、キーボードコントローラ２８、スキャナコントローラ２９、第１および第２表示コントローラ３０、３１、プリンタコントローラ３２およびリーダ・ライタコントローラ３３などの各部を、アドレスバス、データバス、制御バスなどのバスライン３５を介してそれぞれ接続している。
【００２６】
そして、ＰＯＳ端末１１は、Ｉ／Ｏポート２７に、モードスイッチ３６、ドロワ開放部３７を接続し、キーボードコントローラ２８にキーボード３８を接続し、スキャナコントローラ２９にスキャナ３９を接続し、第１表示コントローラ３０に前面表示部４０を接続し、第２表示コントローラ３１に客面表示部４１を接続し、プリンタコントローラ３２にプリンタ４２を接続し、リーダ・ライタコントローラ３３にリーダ・ライタ４３を接続している。
【００２７】
ＣＰＵ２１は、ＲＯＭ２２およびＲＡＭ２３に記憶されたオペレーティングシステム（Operating System）、ミドルウェアおよびアプリケーションプログラムに基づいて、ＰＯＳ端末１１としての各種の動作を実現するべく各部を制御する。
【００２８】
補助記憶部２４は、たとえば、ハードディスクドライブやＳＳＤ（Solid State Drive）などで構成されている。
【００２９】
この補助記憶部２４には、各種コンピュータプログラムがインストールされている。これらのコンピュータプログラムは、ＰＯＳ端末１２の起動時、その全部または一部がＲＡＭ２３にコピーされる。ＣＰＵ２１は、ＲＡＭ２３にコピーされたコンピュータプログラムに従った処理を実行する。
【００３０】
また、補助記憶部２４には、ストアサーバ１２に格納されている花粉ポイント情報テーブル７１がダウンロードされ、記憶される。
【００３１】
時計部２５は、現在の日付、時刻を計時するようになっている。
【００３２】
通信インタフェース（Ｉ／Ｆ）２６は、サーバ装置としてのストアサーバ１２と通信ネットワーク１４を介してデータ通信を制御する。
【００３３】
Ｉ／Ｏポート２７は、モードスイッチ３６のモード信号を入力する。モードスイッチ３６は、「登録」、「点検」、「精算」および「設定」等のＰＯＳ端末１１が実行可能な各種業務モードの中からいずれか１つのモードを選択するためのスイッチである。「登録」とは、商品登録手段を介して入力された各商品の販売データをメモリに登録する業務のモードである。「点検」とは、メモリに登録された各商品の販売データを集計し、その集計結果を点検レポートとして出力する業務である。「精算」とは、メモリに登録された各商品の販売データを集計し、その集計結果を精算レポートとして出力した後、メモリをクリアする業務である。
【００３４】
また、Ｉ／Ｏポート２７は、ドロワ３７に駆動信号を出力する。ドロワ３７は、現金、商品券などを収容するもので、駆動信号が入力されると自動的に開放動作をする。
【００３５】
キーボードコントローラ２８は、キーボード３８から出力される信号を取り込んでＣＰＵ２１に出力する。
【００３６】
キーボード３８は、「００」および「０」〜「９」の置数キーの他、乗算キー、取消キー、ＰＬＵ（Price Look Up）キー、クリアキー、信計キー、割引キー、小計キー、預／現計キー、クレジットキー等の商取引に係わるデータ等を入力するための各種ファンクションキーを配設したものである。置数キーは、販売商品の点数や預り額等を置数するキーであり、小計キーは、小計額の算出を指令するためのキーであり、預／現計キーは、現金支払による１商取引の登録締め宣言を宣言するキーであり、クレジットキーは、クレジット支払いによる１商取引の登録締めを宣言するキーである。このような預／現計キーやクレジットキーを総称して登録締めキーという。
【００３７】
そして、キーボードコントローラ２８とキーボード３８は、商品登録手段を構成する。
【００３８】
スキャナコントローラ２９は、スキャナ３９がデコードしたＰＬＵコードを取り込んでＣＰＵ２１に出力する。
【００３９】
スキャナ３９は、商品等に表記されたバーコードを光学的に読み取り、個々の商品識別情報であるＰＬＵコードにデコードする。
【００４０】
ここで、スキャナコントローラ２９とスキャナ３９は、商品登録手段を構成する。
【００４１】
第１表示コントローラ３０は、ＣＰＵ２１からの指令に応じて前面表示部４０の画面表示を制御する。
【００４２】
前面表示部４０は、オペレータであるキャッシャに対して各種の情報を表した画像等を表示するために使用される。
【００４３】
第２表示コントローラ３１は、ＣＰＵ２１からの指令に応じて客面表示部４１の画面表示を制御する。
【００４４】
客面表示部４１は、顧客に対して各種の情報を表した画像等を表示するために使用される。
【００４５】
プリンタコントローラ３２は、プリンタ４２の駆動を制御する。
【００４６】
プリンタ４２は、たとえば、感熱紙であるレシート用紙に各種情報を印字するサーマルプリンタである。また、取引データ等の印字データレコードが印字されたレシートを発行させる。
【００４７】
リーダ・ライタコントローラ３３は、リーダ・ライタ４３によるカードへの情報書込みを制御するとともに、リーダ・ライタ４３がカードから読取った情報をＣＰＵ２１に出力する。
【００４８】
リーダ・ライタ４３は、たとえば、顧客が所有するポイントカード１００の顧客コードに対して累計ポイント数等の情報を読み書きする磁気タイプあるいはＩＣタイプのカードリーダ・ライタである。
【００４９】
図３は、ストアサーバ１２の要部構成の一例を示すブロック図である。
【００５０】
図３に示すように、ストアサーバ１２は、主制御部としてのＣＰＵ６１と、主記憶部としてのＲＯＭ６２およびＲＡＭ６３と、補助記憶部６４と、時計部６５と、操作部６６と、表示部６７と、通信インタフェース（Ｉ／Ｆ）６８とを備える。
【００５１】
ＣＰＵ６１と、ＲＯＭ６２、ＲＡＭ６３、補助記憶部６４、時計部６５、操作部６６、表示部６７および通信インタフェース６８の前記各部とは、アドレスバス、データバス、制御バスなどのバスライン７０により相互に接続している。
【００５２】
ＣＰＵ６１は、ストアサーバ１２の動作を制御する。具体的には、ＣＰＵ６１は、ＲＯＭ６２や補助記憶部６４などに記憶されたプログラムをＲＡＭ６３のワークメモリエリアに展開して実行し、バスライン７０を介して接続する各部に制御信号を出力する。
【００５３】
ＲＯＭ６２は、ＣＰＵ６１が実行するプログラムや各種設定データなどを記憶する。
【００５４】
ＲＡＭ６３は、ＣＰＵ６１がプログラムを実行する際にワークメモリエリアを提供する。
【００５５】
補助記憶部６４は、いわゆる大容量の記憶装置であり、ＨＤＤまたはＳＳＤ等が用いられる。補助記憶部６４は、ＣＰＵ６１が実行するプログラムの他、各種業務データを記憶する。具体的には、補助記憶部６４は、花粉飛散情報設定テーブル７１、顧客情報テーブル７２を記憶する。
【００５６】
時計部６５は、現在の日付、時刻を計時する。
【００５７】
操作部６６は、キーボードおよびマウスなどのポインティングデバイスなどである。操作部６６は、操作入力に応じた信号をＣＰＵ６１に出力する。
【００５８】
表示部６７は、ＬＣＤなどの表示装置であり、ＣＰＵ６１から出力される信号に応じた画面表示を行う。
【００５９】
通信インタフェース（Ｉ／Ｆ）６８は、通信ネットワーク１４を介して各ＰＯＳ端末１１と接続して各種データの送受信を制御する。さらに、通信インタフェース６８は、通信ネットワーク１４、ルータ１３を介してインターネット１５と接続されるようになっている。
【００６０】
図４は、花粉飛散情報設定テーブル７１に設定された花粉飛散情報設定レコードのデータ構造の一例を示す模式図である。
【００６１】
図４に示すように、花粉飛散情報設定テーブル７１には、店舗Ａの近隣地域の観測地点の花粉飛散数の有・無に対応させた花粉フラグＦと花粉ポイント倍率が設定されるようになっている。
【００６２】
たとえば、店舗Ａの近隣の観測地点において花粉の飛散が発生されている場合には、花粉飛散情報の花粉フラグＦを“１”にセットし、花粉ポイント付与を有（有効）にする。花粉ポイントを付与するための花粉ポイント倍率は、５．０倍に設定されている。なお、花粉ポイント倍率は、５．０倍に特定するものではない。また、花粉ポイント倍率は、ポイント倍率に限らず、値引き・割引等により実行するようにしてもよい。
【００６３】
また、花粉の飛散が発生されていない場合には、花粉飛散情報の花粉フラグＦを“０”にリセットし、花粉ポイント付与を無（無効）にする。ここで、花粉飛散情報設定テーブル７１は、花粉飛散情報設定手段を構成する。
【００６４】
図５は、顧客情報テーブル７２に蓄積された顧客情報レコードのデータ構造の一例を示す模式図である。
【００６５】
図５に示すように、顧客毎に顧客識別情報の顧客コードに対応して、氏名、累計ポイントおよび更新年月日等の顧客情報を記憶管理するようになっている。
【００６６】
次に、ストアサーバ１２の動作について詳細に説明する。
【００６７】
ストアサーバ１２は、Ｗｅｂブラウザやメーラなどのソフトウエアがインストールされたインターネット対応端末となっている。また、ストアサーバ１２は、ＩＰアドレスを設定している。
【００６８】
本実施形態においてストアサーバ１２は、たとえば、前記花粉観測システム１６から花粉飛散数を含む花粉飛散情報を所定の時刻に自動的に受信可能になっている。
【００６９】
図６は、花粉観測システム１６から配信される花粉飛散情報の花粉飛散数等がストアサーバ１２において受信される場合、ストアサーバ１２が花粉飛散情報設定テーブル７１の花粉飛散情報を更新処理するステップを示すフローチャートである。この処理を実行するように、ストアサーバ１２は、ＲＯＭ６２にプログラムを格納する。
【００７０】
まず、ステップＳＴ１１においてＣＰＵ６１は、時計部６５にて計時された現在の時刻が予め設定された所定の時刻であるか否かを判定する。
【００７１】
所定の時刻になると（ステップＳＴ１１のＹＥＳ）、ＣＰＵ２１は、ステップＳＴ１２において、花粉観測システム１６からインターネット１５、ルータ１３、通信ネットワーク１４および通信インタフェース６８などの通信手段を介して店舗Ａの近隣地域の花粉観測地点の花粉飛散数を含む花粉飛散情報を受信したか否かを判定する。
【００７２】
ステップＳＴ１２において、前記花粉飛散情報が受信されない場合には（ステップＳＴ１２のＮＯ）、ＣＰＵ２１は、ステップＳＴ１１に戻り、以後の処理を繰り返し実行する。
【００７３】
一方、花粉飛散情報が受信された場合には（ステップＳＴ１２のＹＥＳ）、ＣＰＵ２１は、ステップＳＴ１３に進む。
【００７４】
ステップＳＴ１３において、前記花粉観測地点の前記花粉飛散情報における前記花粉飛散数をＲＡＭ６３でセーブした後、ＣＰＵ６１は、花粉飛散数の有無を判定する（ステップＳＴ１４）。
【００７５】
前記花粉飛散数が有の場合には（ステップＳＴ１４のＹＥＳ）、ステップＳＴ１５においてＣＰＵ６１は、花粉飛散情報設定テーブル７１の花粉フラグＦを“１”にセットする（花粉ポイント付与設定手段）。
【００７６】
一方、前記花粉飛散数が無の場合には（ステップＳＴ１４のＹＥＳ）、ステップＳＴ１６においてＣＰＵ６１は、花粉飛散情報設定テーブル７１の花粉フラグＦを“０”にリセットする(花粉ポイント付与設定手段)。すなわち、花粉観測地点の花粉飛散が発生していた場合には、フラグＦを“１”にセットし、花粉飛散が発生していない場合には、花粉フラグＦを“０”にリセットする。ここに、花粉飛散情報設定テーブル７１は、花粉飛散情報設定手段を構成する。
【００７７】
ステップＳＴ１７において、ＣＰＵ６１は、花粉飛散情報設定テーブル７１を適時に通信インタフェース６８、通信ネットワーク１４を介して各ＰＯＳ端末１１に配信処理を実行する。
【００７８】
かかる構成において、ストアサーバ１２は、花粉飛散情報設定テーブル７１の花粉ポイント倍率の花粉フラグＦの設定が容易に実行することが可能となる。この花粉飛散情報設定テーブル７１を店舗開店前に各ＰＯＳ端末１２にダウンロードすることにより、店舗で花粉飛散情報設定テーブル７１を利用可能となる。
【００７９】
次に、各ＰＯＳ端末１１による商品販売データ処理について説明する。
【００８０】
かかる構成のＰＯＳ端末１１は、モードスイッチ３６により「登録」モードを選択されている状態において、ＣＰＵ２１がポイント会員として契約をした顧客との１商取引を図７および図８のフローチャートに示すステップで処理するように構成されたプログラムを格納する。
【００８１】
先ず、ステップＳＴ３１においてＣＰＵ２１は、カード登録有無を判定する。
【００８２】
ステップＳＴ３１においてリーダ・ライタ４３を介してポイントカード１００のカードデータが読取られると、ＣＰＵ２１は、カード登録有と判定する。
【００８３】
そして、ＣＰＵ２１は、ステップＳＴ３２としてそのカードデータに含まれる顧客コードをＲＡＭ２３のカードバッファにセーブする。
【００８４】
さらに、ステップＳＴ３３においてＣＰＵ２１は、カードバッファにセーブされた顧客コードで顧客情報テーブル７２にアクセスし、この顧客コードに対応してプリセットされている氏名および累計ポイントを抽出して、ＲＡＭ２３の顧客バッファに氏名および累計ポイント等をセーブする。その後、ＣＰＵ２１は、ステップＳＴ３４の処理に進む。
【００８５】
ステップＳＴ３４においてＣＰＵ２１は、商品登録が行われるのを待機する。ここで、スキャナ３９またはキーボード３８の商品登録手段を介してＰＬＵコードが登録されると（ステップＳＴ３４のＹＥＳ）、ＣＰＵ２１は、商品登録有と判定する。そして、ステップＳＴ３５の商品登録処理に進む。
【００８６】
ステップＳＴ３５ではＣＰＵ２１は、商品登録処理を実行する。すなわちＣＰＵ２１は、先ず、ステップＳＴ３４において登録されたＰＬＵコードで補助記憶部２４のＰＬＵファイルにプリセットされている商品名、単価等の商品情報を読み込む。さらに、ＣＰＵ２１は、単価に販売点数を乗算して販売金額を算出したならば、ＰＬＵコードに対応した商品名、単価、販売点数及び販売金額を含む商品登録情報レコードを作成して、ＲＡＭ２３に形成された取引メモリおよび印字バッファにセーブする。
【００８７】
さらに、ＣＰＵ２１は、取引メモリにセーブされた商品登録情報レコードの商品名、単価、販売点数及び販売金額を前面表示部４０および客面表示部４１に表示させる。
【００８８】
ステップＳＴ３６においてＣＰＵ２１は、小計キーが入力されないと判定すると、（ステップＳＴ３６のＮＯ）、次の商品登録を待機する（ステップＳＴ３４）。
【００８９】
小計キーが入力されると（ステップＳＴ３６のＹＥＳ）、ステップＳＴ３７においてＣＰＵ２１は、取引メモリにセーブされた各販売金額を小計し、小計額と消費税とを演算し合計金額(税込み)を算出する。そして、ＣＰＵ２１は、前面表示部４０および客面表示部４１に合計金額を表示させる。
【００９０】
ステップＳＴ３８においてＣＰＵ２１は、登録締めが宣言されたかを判定する。キーボード３８の締めキー入力により登録締めが宣言されると（ステップＳＴ３８のＹＥＳ）、ステップＳＴ３９においてＣＰＵ２１は、１商取引の決済処理を実行する。たとえば、現金支払の場合には、キーボード３８の操作により入力された預り額とステップＳＴ３７にて算出した合計金額との差額を算出し、算出した差額を釣銭額として前面表示部４０および客面表示部４１に表示させる。
【００９１】
このような決済処理を実行した後に、ＣＰＵ２１はポイント処理を実行する（ステップＳＴ４０）。
【００９２】
ステップＳＴ４０においてＣＰＵ２１は、ポイント対象額である小計額にポイント付与率を乗じ、１商取引において顧客に付与するポイントを算出する。（ポイント算出手段）。
【００９３】
ステップＳＴ４１においてＣＰＵ２１は、ポイント付与対象額、今回ポイント、前回迄ポイントおよび累計ポイント等の印字データレコードを作成し印字バッファにセーブする。
【００９４】
なお、ポイントの算出方法は、特に限定されるものではない。たとえば、小計額を一定のポイント基準額で除算し、その商の整数をポイントとしてもよい。
【００９５】
次に、ステップＳＴ４２においてＣＰＵ２１は、花粉飛散情報設定テーブル７１の花粉フラグＦをチェックする。花粉フラグＦが“０”にリセットされている場合には（ステップＳＴ４２のＮＯ）、花粉飛散が発生されていないので、花粉ポイント情報が付与されない。ステップＳＴ４７おいてＣＰＵ２１は、印字バッファにセーブされている印字データレコードに基づいてプリンタ４２を駆動し従来と同様なレシートを印字発行する。
【００９６】
一方、花粉フラグＦが“１”にセットされている場合には（ステップＳＴ４２のＹＥＳ）、ステップＳＴ４３においてＣＰＵ２１は、花粉飛散情報設定テーブル７１にアクセスし、当該花粉フラグＦ“１”に対応して設定された、花粉ポイント倍率：５・０倍（図４参照）を読み込みＲＡＭ２３の印字バッファに印字データレコードを作成してセーブする。
【００９７】
ステップＳＴ４４においてＣＰＵ２１は、「花粉飛散の日、ご来店の花粉ポイント倍率：５．０倍」を前面表示部４０および客面表示部４１へ表示させる。
【００９８】
このような、処理を実行した後、ステップＳＴ４５において今回ポイント処理を実行する。
【００９９】
ステップＳＴ４５においてＣＰＵ２１は、ステップＳＴ４１にて算出されたポイントにステップＳＴ４３にて読み込まれた花粉ポイント倍率（５・０）を乗じ、今回ポイントを算出する（今回ポイント算出手段）。
【０１００】
さらに、ＣＰＵ２１は、ステップＳＴ４０にて算出されたポイントとステップＳＴ４５において算出された今回ポイントを合算した今回ポイントを算出する（今回ポイント算出手段）。さらに、ＣＰＵ２１は、前回迄ポイントと今回ポイントを合算して累計ポイントを算出する（累計ポイント算出手段）。
【０１０１】
ステップＳＴ４６においてＣＰＵ２１は、花粉ポイント倍率、前回迄ポイント、今回ポイントおよび累計ポイントの印字データレコードを作成し、印字バッファにセーブする。
【０１０２】
ステップＳＴ４７においてＣＰＵ２１は、プリンタ４２を駆動させて印字バッファにセーブされている印字データレコードを基づいてレシートに印字発行させる（ポイント印字制御手段）。
【０１０３】
ステップＳＴ４８においてＣＰＵ２１は、ポイントカード１００の記録部にポイント更新年月日および累計ポイントをセーブするとともに、顧客バッファにも同様にセーブする。
【０１０４】
ステップＳＴ４９においてＣＰＵ２１は、顧客バッファにセーブされた顧客情報について通信手段を介してストアサーバ１２の顧客情報テーブル７２に転送する。
【０１０５】
以上で、１商取引における商品販売データ処理を終了する。
【０１０６】
本実施形態によれば、花粉の飛散が発生した日には、花粉ポイントの割増ポイントを積極的に利用することが可能となる。
【０１０７】
また、オペレータの負担になることなく、花粉飛散の日の花粉ポイントを付与することが可能となる。
【０１０８】
さらに、レシート１１０に、花粉ポイント倍率１２０を印字することにより顧客にサービス性を強くアピールすることができるので、販売促進の効果が期待できる。
【０１０９】
また、高速道路にあるドライブインの店舗においても、花粉飛散の日と同様に道路の渋滞による渋滞ポイントを付与することにより購買の期待が可能となる。
【０１１０】
本実施形態において花粉ポイント倍率でポイント付与しているが、これに限定されることなく、値引き、割引など他の方法により実現するようにしてもよい。
【０１１１】
前記実施形態では、装置内部のプログラム記憶部であるＲＯＭ２２に発明の機能を実現させる制御プログラムが予め格納されているものとした。しかしこれに限らず、同様なプログラムがネットワークから装置にダウンロードされてもよい。
【０１１２】
なお、この発明は前記実施形態に限定されるものではなく、実施の段階ではその要旨を逸脱しない範囲で構成要素を変形して具体化できる。
【０１１３】
なお、前記ＰＬＵファイルを補助記憶部２４に記憶するか、ストアサーバ１２に記憶しておいて通信ネットワーク１４を介してストアサーバ１２にアクセスし、ＰＬＵコードに対応した商品情報を取得するようにしてもよい。
【０１１４】
前記実施形態では、ＰＯＳ端末１１とオンラインで接続されたストアサーバ１２が花粉飛散情報設定テーブル７１、顧客情報テーブル７２を記憶管理したが、ＰＯＳ端末１２自体が、補助記憶部２４に花粉飛散情報設定テーブル７１、顧客情報テーブル７２を記憶管理することによって、単体のＰＯＳ端末１２により本発明の商品販売データ装置を構成することも可能である。
【０１１５】
この他、前記実施形態に開示されている複数の構成要素を適宜な組み合わせにより種々の発明を形成できる。たとえば、実施の形態に示される全構成要素から幾つかの構成要素を削除してもよい。さらに、異なる実施形態にわたる構成要素を組み合わせてもよい。
【符号の説明】
【０１１６】
１０…ＰＯＳシステム、１１…ＰＯＳ端末、１２…ストアサーバ、１５…インターネット、１６…花粉観測システム、２１…ＣＰＵ、２２…ＲＯＭ、２３…ＲＡＭ、３８…キーボード、３９…スキャナ、４０…前面表示部、４１…客面表示部、４２…プリンタ、４３…リーダ・ライタ、７１…花粉飛散情報設定テーブル、７２…顧客情報ファイル、１００…ポイントカード、１１０…レシート、１２０…花粉ポイント倍率。
【図１】
2016076082.tif 000003
【図２】
2016076082.tif 000004
【図３】
2016076082.tif 000005
【図４】
2016076082.tif 000006
【図５】
2016076082.tif 000007
【図６】
2016076082.tif 000008
【図７】
2016076082.tif 000009
【図８】
2016076082.tif 000010
【図９】
2016076082.tif 000011